(57)【要約】      （修正有）【課題】動物が日常の中でどのような感情を抱いているのかを簡単に認識できる動物感情推定装置を提供する。【解決手段】動物感情推定装置１は、凹部を有する弾性部材と、凹部の底部に設けられた集音マイクと、弾性部材及び集音マイク全体を覆う衝撃吸収材とからなる集音器１００と集音器１００を動物に装着するための装着具と、集音器１００から集音された音をフィルタリングして心拍信号に変換する変換器と、心拍信号に基づいて、動物の感情を推定する推定部と、推定部により推定された感情を示す情報を出力する出力部２００とを備える。【選択図】図１
2020022439.tif 000002
【特許請求の範囲】
【請求項１】
集音器と、
前記集音器を動物に装着するための装着具と、
前記集音器から集音された音をフィルタリングして心拍信号に変換する変換器と、
前記心拍信号に基づいて、前記動物の感情を推定する推定部と、
前記推定部により推定された感情を示す情報を出力する出力部とを
備え、
前記変換器は、
前記集音器から集音された音に基づく音声信号の低周波成分をカットするハイパスフィルタと、
前記ハイパスフィルタを通過した音声信号の高周波成分をカットするローパスフィルタと、を備える
動物感情推定装置。
【請求項２】
前記変換器は、さらに、
前記ハイパスフィルタと前記ローパスフィルタとの間に、オペアンプが挿入され、
前記オペアンプには、抵抗とコンデンサが並列接続された回路が接続され、
前記オペアンプは、前記ハイパスフィルタを通過した音声信号と、前記オペアンプから出力された信号が前記抵抗とコンデンサが並列接続された回路を通過した信号とが入力されて、前記ハイパスフィルタを通過した音声信号を増幅し、
前記ローパスフィルタは、前記オペアンプにより増幅された音声信号の高周波成分をカットする
ことを特徴とする請求項１に記載の動物感情推定装置。
【請求項３】
集音器と、
前記集音器を動物に装着するための装着具と、
前記集音器から集音された音をフィルタリングして心拍信号に変換する変換器と、
前記心拍信号に基づいて前記動物の関心度及びストレス度の少なくとも一方を推定する推定部と、
前記推定部により推定された関心度及びストレス度の少なくとも一方に基づいて感情を示す情報を出力する出力部とを備え、
前記推定部は、前記心拍信号に基づいて、第１の拍動と前記第１の拍動に連続する第２の拍動との間の第１心拍時間Ｔ１と、前記第２の拍動と前記第２の拍動に連続する第３の拍動との間の第２心拍時間Ｔ２と、前記第３の拍動と前記第３の拍動に連続する第４の拍動との間の第３心拍時間Ｔ３を特定し、横軸及び縦軸に心拍時間をとった座標系に前記第１心拍時間〜前記第３心拍時間に基づく複数の点をプロットすることにより、前記動物の関心度及びストレス度の少なくとも一方を推定する
動物感情推定装置。
【請求項４】
前記推定部は、点Ｐｎ（Ｔ２，Ｔ１）と点Ｐｎ＋１（Ｔ３，Ｔ２）をプロットした場合の、点Ｐｎと点Ｐｎ＋１との間の距離に基づいて、前記動物の関心度を推定する
ことを特徴とする請求項３に記載の動物感情推定装置。
【請求項５】
前記推定部は、前記第４の拍動と、前記第４の拍動に連続する第５の拍動との間の第４心拍時間Ｔ４を特定し、前記点Ｐｎと前記点Ｐｎ＋１とを結んで得られる直線と、前記点Ｐｎ＋１と、点Ｐｎ＋２（Ｔ４，Ｔ３）とを結んで得られる直線とが成す角度に応じて、前記動物の前記ストレス度を推定する
ことを特徴とする請求項３または４に記載の動物感情推定装置。
【請求項６】
動物に装着して用いる動物感情推定装置による前記動物の感情を推定する動物感情推定方法であって、
前記動物の心音を含む音声信号を取得する取得ステップと、
前記取得された音声信号を心拍信号に変換する変換ステップと、
前記心拍信号に基づいて前記動物の関心度及びストレス度の少なくとも一方を推定し、前記関心度及びストレス度の少なくとも一方に基づいて前記動物の感情を推定する推定ステップと、
前記推定された感情を示す情報を出力する出力ステップとを含み、
前記推定ステップは、前記心拍信号に基づいて、第１の拍動と前記第１の拍動に連続する第２の拍動との間の第１心拍時間Ｔ１と、前記第２の拍動と前記第２の拍動に連続する第３の拍動との間の第２心拍時間Ｔ２と、前記第３の拍動と前記第３の拍動に連続する第４の拍動との間の第３心拍時間Ｔ３を特定し、横軸及び縦軸に心拍時間をとった座標系に前記第１心拍時間〜前記第３心拍時間に基づく複数の点をプロットすることにより、前記動物の関心度及びストレス度の少なくとも一方を推定する
動物感情推定方法。
【発明の詳細な説明】
【技術分野】
【０００１】
本発明は、動物の感情を推定する装置に関する。
【背景技術】
【０００２】
従来、各種のペットを飼う飼い主にとっては、飼育しているペットの感情をより正確に理解できれば、ペットとの意思疎通がよりスムーズに行え、ペットとの友好がより深まるのにできないという懊悩があった。
【０００３】
そこで、そのような悩みを解決すべく、特許文献１に示すように、小動物の感情を推定する装置が開発されている。特許文献１に記載の技術では、装置に電極を設け、当該電極に小動物の足を載せて微弱電流を流して刺激し、生体ポテンシャルを取得する。そして、当該装置は、取得した生体ポテンシャルに基づいて、リラックス度や興奮度を演算して表示している。
【先行技術文献】
【特許文献】
【０００４】
【特許文献１】特開２０１０−１８７６３１号公報
【発明の概要】
【発明が解決しようとする課題】
【０００５】
しかしながら、特許文献１に示す装置は、小動物の足を電極に載せる必要があり、小動物の自然な状態の生体ポテンシャルを取得できるとは言い難く、普段の生活の中での、動物の感情の推定がしにくいため、ユーザのニーズに応えているとは言い難かった。
【０００６】
そこで、本発明は、上記問題に鑑みて成されるものであり、一般の生活の中で、動物の感情をユーザが認識することができる、動物感情推定装置及び動物感情推定装置に用いる集音器を提供することを目的とする。
【課題を解決するための手段】
【０００７】
上記課題を解決するために、本発明の一態様に係る集音器は、凹部を有する弾性部材と、凹部の底部に設けられた集音マイクと、弾性部材及び集音マイク全体を覆う衝撃吸収材とからなる。
【０００８】
また、本発明の一実施態様に係る動物感情推定装置は、上記集音器と、集音器を動物に装着するための装着具と、集音器から集音された音をフィルタリングして心拍信号に変換する変換器と、心拍信号に基づいて、動物の感情を推定する推定部と、推定部により推定された感情を示す情報を出力する出力部とを備える。
【０００９】
また、本発明の一実施態様に係る動物感情推定方法は、動物に装着して用いる動物感情推定装置による動物の感情を推定する動物感情推定方法であって、動物の心音を含む音声信号を取得する取得ステップと、取得された音声信号を心拍信号に変換する変換ステップと、心拍信号に基づいて動物の感情を推定する推定ステップと、推定された感情を示す情報を出力する出力ステップとを含む。
【発明の効果】
【００１０】
本発明の一態様に係る動物感情推定装置によれば、当該動物感情推定装置を動物が装着することで、集音器から集音された音声信号に基づいて得られる心拍信号を用いて、動物の感情を推定し、推定した感情を示す情報を出力する。したがって、動物が装着した動物感情推定装置が出力した感情を認識することで、ユーザは、一目で動物のその時々の感情を認識することができる。
【図面の簡単な説明】
【００１１】
【図１】（ａ）は、動物が動物感情推定装置を装着した状態を示す図であり、（ｂ）は、動物感情推定装置の外観図である。
【図２】（ａ）は、センサー１００の外観図であり、（ｂ）は、センサー１００をＡ−Ａ’線で切断した場合の断面図である。
【図３】動物感情推定装置の機能構成を示すブロック図である。
【図４】センサー処理回路の構成を示す回路図である。
【図５】（ａ）は、集音された音声信号の例を示す波形図であり、（ｂ）は、センサー処理回路によりフィルタリングされた心拍信号の例を示す波形図である。
【図６】顔画像表の一構成例を示すデータ概念図である。
【図７】動物感情推定装置の動作を示すフローチャートである。
【図８】センサー１００の別構成例を示す図である。
【図９】ポワンカレ平面のプロット例を示すグラフである。
【図１０】実施の形態２に係る動物感情推定装置１０を動物が装着した状態を示す図である。
【図１１】（ａ）は、実施の形態２に係る動物感情推定装置１０の外観斜視図であり、（ｂ）は、（ａ）とは別の方向から見た場合の動物感情推定装置１０の外観斜視図である。
【図１２】実施の形態２に係る動物感情推定装置１０の機能構成を示すブロック図である。
【図１３】（ａ）、（ｂ）は、動物の集中度に応じたＬＥＤの明滅間隔の輝度差の例を示すグラフである。
【図１４】実施の形態２に係る基本色決定表１４００のデータ構成例を示すデータ概念図である。
【図１５】実施の形態２に係る動物感情推定装置１０の動作を示すフローチャートである。
【図１６】（ａ）は、動物感情推定装置１の機能構成を示すブロック図であり、（ｂ）は、動物感情推定装置１０の機能構成を示すブロック図である。
【発明を実施するための形態】
【００１２】
＜実施の形態１＞
以下、本発明に係る動物感情推定装置の一実施態様について、図面を参照しながら、詳細に説明する。
【００１３】
＜概要＞
本発明に係る動物感情推定装置は、動物の大まかな感情を推定し、飼い主等のユーザに、動物が何を考えているかを示すおおよその感情を提示する。動物感情推定装置１は、図１（ａ）に示すように、動物（図１では犬）に装着して用いる。動物感情推定装置１は、装着した動物の心拍音を図１（ｂ）に示すセンサー（集音器）１００で集音し、得られた心拍音を示す心拍信号に基づいて装着した動物の感情を推定する。そして、動物感情推定装置１は、図１（ｂ）に示す、動物感情推定装置１に設けられた出力部２００に動物のその時々の感情を示す顔を表示する。これにより、ユーザは動物がどのような感情を抱いているのかを認識することができる。
以下、本発明に係る動物感情推定装置１について詳細に説明する。
【００１４】
＜構成＞
図１（ａ）、図１（ｂ）に示すように、動物感情推定装置１は、対象となる動物に着装できるように構成されており、動物用のハーネスに、センサー１００と、出力部２００を含む制御装置が固着されてなる。なお、図１においては、犬に装着する例を示しているが、犬以外の動物に装着して用いてもよいことは言うまでもない。
【００１５】
動物感情推定装置１の内側には、センサー１００が設けられ、動物感情推定装置１を装着した動物の体表に密着する。これにより、センサー１００内部に設けられたマイクロフォンにより、心拍音を録音した音声信号が取得される。
図１（ｂ）に示すように、センサー１００と出力部２００とは、接続線１１０を介して接続され、センサー１００により集音された音声信号が伝達される。
図２は、センサー１００の構成を示す図である。
図２（ａ）は、センサー１００の斜視図であり、図２（ｂ）は、図２（ａ）におけるセンサー１００をＡ−Ａ’線で切断した場合の断面図である。
【００１６】
図２（ａ）に示すようにセンサー１００は、衝撃吸収材として、スポンジ１０３内部に、パラボラ状の凹部を有する台部１０２と、マイクロフォン１０１とを備えた集音器である。
台部１０２は、樹脂などの弾性部材から成り、図２（ａ）、図２（ｂ）に示されるように、パラボラ状（すり鉢状、漏斗状）の凹部を有する。なお、ここでは軽量化を考慮して台部として樹脂を用いることとしているが、硬質な部材であってもよく、音波の反射率の高い素材を用いるとよい。
そして、当該凹部の底部に、マイクロフォン１０１が設けられ、接続線１１０がスポンジ１０３の外部に導出される。
【００１７】
台部１０２の底部にマイクロフォン１０１を設置することにより、マイクロフォン１０１が向く方向、すなわち、動物の方向の音声を取得できるとともに、動物の方向以外の方向からの音声を台部１０２が反射、吸収してしまうので、雑音を混ざりにくくすることができる。
【００１８】
そして、マイクロフォン１０１と台部１０２との両方全体を覆うようにスポンジ１０３が設けられることで、スポンジが音声の導電部材となるとともに、動物が動くことによって生じる皮膚の歪みにもスポンジが形状を変えることで、センサー１００と動物との密着状態を維持することができる。
図３は、動物感情推定装置１の機能構成を示す機能ブロック図である。
【００１９】
図３に示すように、動物感情推定装置１は、センサー１００と、出力部２００と、センサー処理回路３１０と、電源部３２０と、制御部３３０と、通信部３４０とから構成される。
【００２０】
センサー１００は、動物感情推定装置１を装着した動物の生態情報を取得する機能を有し、本実施の形態においては、音声を取得する集音器により実現される。センサー１００は、取得した音声信号をセンサー処理回路３１０に伝達する。
【００２１】
センサー処理回路３１０は、図４に示す回路構成の回路であり、音声信号を心拍信号に変換して制御部３３０に伝達する機能を有する。センサー処理回路３１０は、図１で言えば、出力部２００が設けられている装置部分に内蔵される。
【００２２】
図４に示すように、センサー処理回路３１０は、電源入力部４０１と、抵抗４０２と、コンデンサ４０３と、コンデンサ４０４と、抵抗４０５と、オペアンプ４０６と、抵抗４０７と、コンデンサ４０８と、コンデンサ４０９と、抵抗４１０と、コンデンサ４１１と、ショットキーバリアダイオード４１２とが、図４に示すように接続されて成る。
【００２３】
電源入力部４０１から入力された電力は、抵抗４０２により制限される。
【００２４】
抵抗４０２は、ここでは、１００Ω〜１０ｋΩとする。
【００２５】
コンデンサ４０３は、ここでは、１μＦ〜１００μＦとし、センサー１００から出力された音声信号のノイズを除去するノイズフィルタとして機能する。
【００２６】
センサー１００は、ここでは、ＥＣＭ（Electret Condenser Microphone）を用いる。
【００２７】
コンデンサ４０３によりノイズが除去された音声信号は、コンデンサ４０４及び抵抗４０５により低周波成分が除去される。すなわち、コンデンサ４０３と抵抗４０５とは、ハイパスフィルタとして機能する。ここでは、コンデンサ４０３は、０．１μＦ〜１０μＦとし、抵抗４０５は、１００Ω〜１０ｋΩとする。
【００２８】
そして、低周波成分が除去された音声信号は、オペアンプ４０６により増幅される。
【００２９】
オペアンプの増幅率は、抵抗４０７と、抵抗４１０とにより決定される。ここでは、抵抗４０７を２０ｋΩ〜２００ｋΩとし、抵抗４１０を１０〜１００Ωとする。これにより、オペアンプ４０６は約２０００〜２００００倍の増幅率を得ることになる。
【００３０】
コンデンサ４０８及びコンデンサ４０９は、二つで合計１０μＦ〜１００μＦとなるものを用い、オペアンプのフィルタとして機能する。
【００３１】
コンデンサ４１１は、１μＦ〜１００μＦのものを用い、ローパスフィルタとして機能する。
【００３２】
ショットキーバリアダイオード４１２は、フィルタリング後の心拍信号を、出力部４１３に出力し、出力部４１３（制御部３３０）からの信号の逆流を防止する機能を有する。
【００３３】
図４に戻って、電源部３２０は、動物感情推定装置１の各部に電力を供給する機能を有する。電源部３２０は、所謂、リチウムイオン電池や、アルカリ電池、マンガン電池などにより実現される。
【００３４】
センサー処理回路３１０の働きにより、図５（ａ）に示すような雑音交りの音声信号が、図５（ｂ）に示すような心拍信号に変換される。
【００３５】
制御部３３０は、センサー処理回路３１０から伝達された心拍信号に基づいて、動物の感情を推定する機能を有する。そして、制御部３３０は、推定した動物の感情に基づく顔画像を出力部２００に伝達する。また、制御部は、推定した動物の感情に基づく顔画像を通信部３４０に伝達する機能も有する。
【００３６】
ここで、制御部３３０による動物の感情推定方法について説明する。制御部３３０は、センサー処理回路３１０から伝達された心拍信号に基づいて、心拍変動解析（ＨＲＶ解析：Heart Rate Variation 解析）を行うことにより、動物の感情を推定する。
【００３７】
一般的によく知られているＨＲＶ解析には、ＮＮ５０という手法がある。これは、一定サンプル数（例えば６０個とか、一定時間（例えば１分間）中の心拍数）のＲ−Ｒインターバル（拍動と拍動との間隔であり、図４（ｂ）の区間ＨＩがＲ−Ｒインターバルを示す）の中で、Ｒ−Ｒインターバルの差分が５０ｍｓ以上であることが連続して観測される回数（ＮＮ５０）を数える。そして、ＮＮ５０をＲ−Ｒインターバルのサンプル数で割って得られるｐＮＮ５０という値に基づいて、交感神経が活発になっているか否かを判断する手法である。ｐＮＮ５０が低いと交感神経が活発になっている（ストレスを感じている）と判定する。ただし、ここの５０ｍｓという値は、人類に対して適用するものであるため、動物にはそのまま当てはめることができない。
【００３８】
そこで、動物感情推定装置１の制御部３３０は、まず、人間の場合の５０ｍｓの時間を動物用の時間Ｘｍｓに変換する。
【００３９】
一般的な人間のＮＮ５０解析に対して用いる５０ｍｓという時間は、不整脈のない、安定状態にある人間の平均的な心拍数を元に算出されている。そこで、一般的に知られている人間の心拍が８０ｂｐｍ（beats per minute）であることを考慮すると、人間の平均的なＲ−Ｒインターバルは、７５０ｍｓということになる（６０×１０００÷８０＝７５０）。５０ｍｓは、この平均Ｒ−Ｒインターバルの６．７％に相当する。
【００４０】
そこで、仮に、動物のＲ−Ｒインターバルの平均が１０００ｍｓとすると、動物のｐＮＮＸ時間である時間Ｘｍｓは、Ｘ＝１０００×０．０６７＝６７ｍｓと算出される。したがって、制御部３３０は、取得した心拍信号から、平均Ｒ−Ｒインターバルを算出し、前述の比率６．７％を乗じることにより、動物用の時間Ｘｍｓを得る。したがって、この動物の場合、ある一定サンプル数のＲ−Ｒインターバルについて、６７ｍｓ以上であることが連続して観測される回数に基づいて、交感神経が活発になっているか否かを判断する。
【００４１】
制御部３３０は、定期的に、ｐＮＮＸの時間を算出し、算出したｐＮＮＸ時間に基づいて交感神経が活発になっているか否かを判断する。これにより、制御部３３０は、動物感情推定装置１を装着している動物がストレスを感じているか否かを判断することができる。
また、制御部３３０は、ポワンカレプロット解析によっても、動物の感情の推定を行う。
【００４２】
本実施の形態におけるポワンカレプロットは、図９に示すように、Ｘ軸、Ｙ軸には、Ｒ−Ｒインターバルの時間をとる。そして、仮に、時刻ｔ１におけるＲ−ＲインターバルがＴ１、時刻ｔ２におけるＲ−ＲインターバルがＴ２、時刻ｔ３におけるＲ−ＲインターバルがＴ３、時刻ｔ４におけるＲ−ＲインターバルがＴ４であるとする（ｔ１＜ｔ２＜ｔ３＜ｔ４）。このとき、ポワンカレプロットでは、連続する２つのＲ−ＲインターバルをそれぞれＸ座標、Ｙ座標とする点をプロットしていく。すなわち、時刻ｔ２のＲ−ＲインターバルＴ２をＸ座標、時刻ｔ１のＲ−ＲインターバルＴ３をＹ座標とする点Ｐｎ−２がプロットできる。すなわち、新しい方のＲ−ＲインターバルをＸ座標とし一つ前のＲ−ＲインターバルをＹ座標とする点をプロットする。この法則に従うと、４つの連続するＲ−Ｒインターバルから、図９に示すように、３つの点、点Ｐｎ−２（Ｔ２，Ｔ１）、点Ｐｎ−１（Ｔ３，Ｔ２）、点Ｐｎ（Ｔ４，Ｔ３）がプロットできる。ポワンカレプロット解析では、制御部３３０は、このようにしてプロットされた２点間の距離、並びに、３点によってなされる角度θ（図９参照）に基づく解析を行う。
【００４３】
このとき、動物の心拍数が高くなるほどプロットする点はポワンカレ平面の原点に近づき、連続する２点、すなわち、点Ｐｎ−２−Ｐｎ−１間、点Ｐｎ−１−Ｐｎ間の直線距離が短くなる傾向がある。制御部３３０は、心拍数が高い場合でも低い場合でも定性的に直線距離を求めるために、２点間の直線距離をある母数で除算し、正規化する。母数は、心拍数が高くなるにつれ、相対的に小さくなる値であることが望ましく、ここでは、２点のＸ座標、Ｙ座標値のうち、長い方の合計値を用いることとする。こうして得られた正規化直線距離が所定の閾値よりも低い場合に、制御部３３０は、動物感情推定装置１を装着した動物が何かに関心を寄せていると判断する。
【００４４】
また、制御部３３０は、ポワンカレ平面において、連続してプロットされた２点により形成される直線と、当該２点の一方と連続する点により形成される直線とが成す角度θに基づく感情推定を実行する。すなわち、図９の例で言えば、点Ｐｎ−２と点Ｐｎ−１とを結ぶ直線と、点Ｐｎ−１と点Ｐｎとを結ぶ直線とが成す角度θに基づく感情推定を行う。
【００４５】
この角度θが９０度に近づくほど、動物が何かにストレスを感じている（物音におびえる、叱られる等）傾向が高いことを発明者は発見した。また、この角度θが−９０度に近づくほど、動物がリラックスしている状態にある傾向が高いことも発見した。
【００４６】
したがって、制御部３３０は、ポワンカレ平面にプロットした、４つの点に基づいて求まる角度θを算出し、その角度に応じてストレスを感じているか否かを判断する。
【００４７】
なお、ｐＮＮＸ解析による解析と異なる結果が得られる場合には、ストレスについては、ポワンカレプロット解析による解析結果を優先するものとする。
【００４８】
また、制御部３３０は、心拍信号に基づいて、その単位時間辺りの心拍数が一定値以下になっているか否かを判断する。心拍数が一定値以下になっている状態が一定時間続く場合に、制御部３３０は、動物が眠気を感じていると判断する。なお、制御部３３０は、眠気があると判断した場合には、その他のストレス度や関心度がどのような状態であったとしても眠気があるとのみ判断する。
【００４９】
制御部３３０は、このようにセンサー１００から得た心拍信号に基づいてＨＲＶ解析を行うことにより動物の感情を推定する。
【００５０】
通信部３４０は、無線により、ユーザのスマートホンなどの携帯端末と通信する機能を有し、制御部３３０から伝達された情報を、所定の通信プロトコルに従って、ユーザの携帯端末に送信する。送信された顔画像は、ユーザの携帯端末で表示され、ユーザは表示された顔画像を見て動物の感情を認識することができる。
【００５１】
出力部２００は、制御部３３０から伝達された顔画像を表示する機能を有する。出力部２００は、例えば、並列して設けられた複数のＬＥＤライトにより実現されてもよいし、小型のＬＣＤ等のモニターにより実現されてもよい。また、複数のＬＥＤライトにより実現される場合には、制御部３３０は、顔画像ではなく、点灯すべきＬＥＤライトを指定することとしてもよい。
【００５２】
＜データ＞
図６は、動物感情推定装置１に記憶されている動物の状態に応じて表示すべき顔画像を示す顔画像表６００のデータ概念図である。
【００５３】
顔画像表６００は、推定した動物の状態情報６０１と表示情報６０２とが対応付けられた表である。
【００５４】
推定した動物の状態情報６０１は、動物の状態を示す情報であり、眠気の有無、ストレスの高低、関心度の高低の情報を含む。
【００５５】
表示情報６０２は、推定した動物の状態情報６０１各々に対応する、出力部２００が表示すべき顔画像を示す情報である。
【００５６】
動物感情推定装置１は、顔画像表６００によれば、眠気が「有」る場合には、ストレスや関心度に関わりなく、眠くなっている顔画像を表示する（顔画像表６００の１段目を参照）。
【００５７】
また、例えば、動物に、眠気が「無」く、ストレスが「高」く、関心度が「低い」場合には、動物にとって、不安に思っている、苛ついている等の状態にあることが推定され、目が×になり、口が弱っているような状態を示す顔画像を表示する（顔画像表６００の３段目を参照）。
【００５８】
動物感情推定装置１の制御部３３０は、顔画像表６００をメモリ等に記憶しておくことで、顔画像表６００を参照して、推定した動物の状態に対応する表示情報６０２を特定して、出力部２００に表示させる。
【００５９】
＜動作＞
図７は、動物感情推定装置１の動作を示すフローチャートである。
図７に示すように、動物感情推定装置１のセンサー１００は、動物の生体情報を取得する（ステップＳ７０１）。本実施の形態においては、動物感情推定装置１は、マイクロフォン１０１から心拍音を含む音声信号を取得する。
【００６０】
マイクロフォン１０１から集音された音声信号は、センサー処理回路３１０に伝達される。そして、センサー処理回路３１０により、音声信号は、フィルタリングされて、心拍信号に変換される（ステップＳ７０２）。センサー処理回路３１０は、心拍信号を制御部３３０に伝達する。
【００６１】
制御部３３０は、伝達された心拍信号に基づき、ＨＲＶ解析を行って、動物の感情を推定する（ステップＳ７０３）。すなわち、制御部３３０は、動物感情推定装置１を装着した動物が眠気を感じているか否か、ストレスを感じているか否か、そして、何かに関心を寄せているか否かを判定する。
【００６２】
制御部３３０は、推定した感情に対応する顔画像を、顔画像表６００を用いて決定する。そして、決定した顔画像を出力部２００に出力する。
【００６３】
すると、出力部２００は、制御部３３０により指定された顔画像を表示する。動物感情推定装置１は、図７に示す処理を、電源を入れてから、電源を切られるまで、繰り返し実行する。
【００６４】
以上が、動物感情推定装置１の動作である。
【００６５】
＜まとめ＞
上記実施の形態に示したように、実施の形態に係る動物感情推定装置１は、動物に着装されて、その心音を示す音声信号を取得する。そして、その音声信号に基づく心拍を特定し、その心拍に基づいて動物の感情を推定し、その感情を示す情報を出力することができる。したがって、ユーザは、その出力された情報を見て、動物がどのような感情を抱いているのかを一目に認識することができる。また、動物感情推定装置１は、センサー１００として、その外部をスポンジ剤で覆うことにより、柔軟に変化する動物の皮膚との密着状態を維持でき、効率よく、適格に心音を取得することができる。
【００６６】
＜実施の形態２＞
本実施の形態２に係る動物感情推定装置は、上記実施の形態１に示した場合とは異なり、出力部２００は、顔画像を表示するではなく、発光する。そして、その発光色や、発光の仕方により、動物感情推定装置は、推定した動物の感情を表現する。以下、本実施の形態２に係る動物感情推定装置１０について説明する。
【００６７】
＜構成＞
図１０は、本実施の形態２に係る動物感情推定装置１０を動物（図１０の例では犬）が装着した状態を示す図である。また、図１１は、動物感情推定装置１０の外観斜視図であって、（ａ）、（ｂ）はそれぞれ異なる角度から見た動物感情推定装置１０の外観を示している。
【００６８】
図１０、図１１に示すように、本実施の形態に係る動物感情推定装置１０は、上記実施の形態１における顔画像を表示した出力部２００に換えて、出力部１２００を備える。出力部１２００は、動物感情推定装置１０の筐体１５０内部に設けられたＬＥＤテープ１１により実現される。筐体１５０は、内部に備えられたＬＥＤテープ１１が発する光を透過する半透明あるいは透明な樹脂により構成される。また、図１１に示されるように動物感情推定装置１０は、装着対象の動物の胸回り及び胴回りにそれぞれベルト１２ａ、１２ｂを回して、動物感情推定装置１０が装着した動物から外れないように装着する。
【００６９】
図１２は、動物感情推定装置１０の機能構成を示すブロック図である。図１２に示すように、動物感情推定装置１０は、センサー１００と、センサー処理回路３１０と、電源部３２０と、通信部３４０と、出力部１２００と、制御部１２３０と、記憶部１２４０とを備える。なお、本実施の形態２において、上記実施の形態１と機能が共通する機能部については、同じ符号を割り振って説明を割愛する。
【００７０】
出力部１２００は、様々な色の光を発光する発光媒体である。上述の通り、出力部１２００は、例えば、ＬＥＤテープ１１により実現される。出力部１２００は、制御部１２３０からの指示に従って、指示された発光色、発光輝度、発光タイミングで発光する。ＬＥＤテープ１１は、複数のＬＥＤが連なって構成され、各ＬＥＤはそれぞれ個別に発光色、発光輝度、発光タイミングを制御できるものである。
【００７１】
制御部１２３０は、センサー処理回路３１０から出力された心拍信号に基づいて動物の感情を推定し、推定した感情に基づいて、発光色、発光輝度、発光タイミングを決定し、決定した出力内容を出力部１２００に伝達する。
【００７２】
制御部１２３０は、心拍信号に基づいて特定される単位時間当たりの発光色を決定する。制御部１２３０は、記憶部１２４０に記憶されている基本色決定表１４００を参照して、出力部１２００を発光させる基本色を決定する。基本色決定表１４００は、心拍数範囲と、その心拍数範囲に測定した心拍数が含まれる場合に発光する基本色が対応付けられた情報である。基本色決定表１４００の詳細については後述する。そして、決定した基本色に対して、心拍数が隣接する他の心拍数範囲が近いほど、隣接する心拍数範囲の基本色を混ぜるようにして発光色を決定する。また、このとき混入させる混入色で発光させるＬＥＤと、基本色で発光させるＬＥＤとの間のＬＥＤは、その中間色で発光させてグラデーションするように発光色を決定する。
【００７３】
制御部１２３０は、上記実施の形態１に示した制御部３３０と同様に動物の感情を、心拍数の高低、ＮＮ５０や、ポワンカレプロット解析によって推定する。制御部１２３０は、ＮＮ５０により交感神経の活発度合及びポワンカレプロット解析に基づいて角度θの角度によって動物の幸福度及び集中度を特定する。
【００７４】
例えば、制御部１２３０は、ポワンカレプロット解析により上記実施の形態１に示した角度θが動物が幸福を感じていると特定できる角度に近い、即ち、動物が幸福を感じている度合が高いと推定される場合ほど動物の幸福度が１に近くなるように、角度θが動物が幸福を感じていないと特定できる角度に近いほど動物の幸福度が０に近くなるように正規化する。そして、幸福度の数値（０〜１）に応じて、出力部１２００に他の色を混入させる度合を決定する。制御部１２３０は、幸福度が高い（１に近い）ほど輝度が高くなるように決定する。なお、角度θにおいて動物が幸福を感じていると特定できる角度や、動物が幸福を感じていないと特定できる角度は、動物の行動情報を観察し、そのときのポワンカレプロットの変動の仕方から、特定することができる。すなわち、動物が幸福を感じているという行動をしているときのポワンカレプロットにおけるθを、動物が幸福を感じているときの角度として設定するとよい。同様に、動物が幸福を感じていないという行動をしているときのポワンカレプロットにおけるθを、動物が幸福を感じていないときの角度として設定するとよい。
【００７５】
また、例えば、制御部１２３０は、ポワンカレプロット解析により上記実施の形態１に示した点Ｐｎと点Ｐｎ−１の直線距離と集中度の高低の関連性を行動観察と合わせることで特定し、集中度の高低を０〜１の数値に変換する。そして、制御部１２３０は、特定した集中度に基づいて、ＬＥＤテープ１１の明滅コントラストを決定する。明滅コントラストの決定とは、最高輝度から徐々に輝度を最低輝度に下げる、または、最低輝度から徐々に輝度を最高輝度に上げるまでの輝度の差分を決定することをいう。即ち、集中度に応じて、制御部１２３０は、ＬＥＤテープ１１を発光させる最高輝度と最低輝度を決定する。図１３は、集中度に応じた明滅の例を示している。図１３（ａ）は、動物の集中度が高い場合の発光制御の様子を示したグラフであり、図１３（ｂ）は、動物の集中度が低い場合の発光制御の様子を示したグラフである。図１３（ａ）に示すように動物の集中度が高いと判定した場合には、制御部１２３０は、最高輝度と最低輝度の差分が大きくなるように最高輝度と最低輝度を決定する。当該決定は、例えば、集中度の数値と、最高輝度及び最低輝度を対応付けたテーブルを記憶部１２４０に記憶しておき、制御部１２３０が当該テーブルを参照することで実現することができる。図１３（ａ）における最高輝度Ｌ１と、最低輝度Ｌ２との差分Ｌａは、図１３（ｂ）における最高輝度Ｌ３と、最低輝度Ｌ４との差分Ｌｂよりも大きい。制御部１２３０は、図１３に示すような発光制御を、動物の集中度に応じて実行する。
【００７６】
制御部１２３０はこのようにして決定した発光色、発光輝度、発光タイミングを出力部１２００に伝達する。
【００７７】
記憶部１２４０は、動物感情推定装置１０が動作上必要とする各種プログラムやデータを記憶する機能を有する記憶媒体である、記憶部１２４０は、例えば、ＨＤＤ（Hard Disc Drive）、ＳＳＤ（Solid State Drive）、フラッシュメモリ等により実現される。
【００７８】
＜データ＞
図１４は、本実施の形態に係る動物感情推定装置１０が保持する基本色決定表１４００のデータ構成例を示すデータ概念図である。
【００７９】
図１４に示すように基本色決定表１４００は、基本色１４０１と、心拍数１４０２が対応付けられた情報である。
【００８０】
基本色１４０１は、動物感情推定装置１０が発光する基本色を定めた情報であり、ここでは、「青」、「緑」、「黄」、「赤」の４色がある例を示している。
【００８１】
心拍数１４０２は、センサー１００が計測した心拍数に基づいて発光する基本色を決定するための心拍数の範囲を示す情報である。心拍数１４０２は、ここでは１分ごとの回数を示している。
【００８２】
図１４に示す例であれば、基本色「青」には心拍数として「６５回以下」が、基本色「緑」には心拍数として「６６回〜７０回」が、基本色「黄」には心拍数として「７１回〜７５回」が、基本色「赤」には心拍数として「７６回以上」が対応付けられている。基本色決定表１４００によれば、例えば、動物感情推定装置１０のセンサー１００が計測した心拍数が「７４回」であれば、基本色として「黄」が選択されることになる。そして、心拍数が７４回と、心拍数範囲が基本色「赤」の周波数範囲寄りになっているので制御部１２３０は、基本色を「黄」とし、そこに、「赤」を混ぜて発光させることを決定する。
【００８３】
＜動作＞
図１５は、本実施の形態２に係る動物感情推定装置１０の動作を示すフローチャートである。
【００８４】
動物感情推定装置１０のセンサー１００は、心拍をセンシングして音声信号を取得し、その音声信号をセンサー処理回路３１０に出力する。センサー処理回路３１０は、取得した音声信号を心拍信号に変換して、制御部１２３０に伝達する。制御部１２３０は、センサー処理回路３１０から心拍信号を取得する（ステップＳ１５０１）。
【００８５】
制御部１２３０は、単位時間当たりの心拍数を特定する（ステップＳ１５０２）。そして、特定した心拍数に基づいて、基本色決定表１４００を参照して、発光させる発光基本色を決定する（ステップＳ１５０３）。
【００８６】
制御部１２３０は、ＬＥＤテープ１１のうち、予め定められたＬＥＤを基本色で発光させるＬＥＤとして特定する。次に制御部１２３０は、取得した心拍信号に対して心拍解析（ＨＲＶ解析）を行う（ステップＳ１５０４）。
【００８７】
まず、制御部１２３０は、心拍解析（ＨＲＶ解析）を行って、動物の感情として、幸福度を特定する。そして、制御部１２３０は、その幸福度の高低に応じて、ＬＥＤを発光させる際の基本色以外の色の混入度合いを特定する（ステップＳ１５０５）。すなわち、制御部１２３０は、幸福度が高いほど、色むらが多く見えるようにし、低いほど、色むらが少なく見えるように発光を制御する。具体的には、幸福度が１に近づくほど、混入する基本色以外の色の数が多くなり、０に近づくほど基本色以外の色の数が少なくなるテーブルを記憶部１２４０に記憶しておくことで、制御部１２３０は、当該テーブルを参照して混入色の数を決定する。そして、制御部１２３０は、決定した数の色を基本色以外から選択することで混入色を決定する。このとき、記憶部１２４０は、各基本色毎に混入する色のテーブルを決定した混入色の数に応じてテーブルを記憶しておいてもよく、制御部１２３０は、当該テーブルを用いて混入色を決定することとしてもよい。また、あるいは、制御部１２３０は、基本色決定表１４００において、発光させると決定した基本色が該当する周波数領域に隣接する周波数領域に対応する色を混入色として決定することとしてもよい。制御部１２３０は、基本色で発光させるＬＥＤ以外のＬＥＤのうち所定のＬＥＤについて決定した混入色で発行させ、その他のＬＥＤについては、基本色から混入色の間でグラデーションするように色を決定し発光させる色を決定する。
【００８８】
また、制御部１２３０は、心拍解析に基づいて、動物の感情として、集中度を特定する。そして、特定した集中度の高低に応じて、ＬＥＤを発光させる最高輝度と最低輝度とを決定する（ステップＳ１５０６）。制御部１２３０は、動物の集中度が高いほど、ＬＥＤの発光のコントラストが強くなるように発光タイミングを決定する。
【００８９】
制御部１２３０は、決定した発光色、発光輝度、発光タイミングを、出力部１２００に伝達する。出力部１２００は、ＬＥＤテープ１１の各ＬＥＤについて、伝達された発光色を指定されたＬＥＤにおいて点灯させ、そのＬＥＤを伝達された最高輝度と最低輝度との間で明滅するように発光させて（ステップＳ１５０７）、ステップＳ１５０１に戻る。
【００９０】
動物感情推定装置１０は、ユーザから、停止入力を受け付けるまで、本処理を繰り返し、その発光色や発光のさせ方で、推定した動物の感情を表現する。
【００９１】
＜まとめ＞
本実施の形態２に係る動物感情推定装置１０によれば、ＬＥＤの発光色や、発光強度（輝度）、発光タイミング（明滅の周期の遅い早い）によって、動物の感情を表現することができる。ユーザは、その発光を見て動物がどのような感情を抱いているのかを推定することが容易になる。例えば、青や緑で比較的穏やかに明滅していると、落ち着いて心安らかなのだろうと推定したり、赤や黄で比較的早く明滅していると、興奮しながらも集中しているのだろうと推定したりすることができる。
【００９２】
＜変形例＞
上記実施の形態に本発明に係る発明の一実施態様を説明したが、本発明に係る思想がこれに限られないことは言うまでもない。以下、本発明に係る思想として含まれる各種変形例について説明する。
【００９３】
（１）上記実施の形態において動物感情推定装置１に備えた通信部３４０は、必須の構成ではなく、ユーザが自身のスマートホン等の携帯端末で動物の感情に関する情報を受信する必要がないと考える場合には、備えずともよい。
【００９４】
（２）上記実施の形態においては、センサー１００は、集音器とし、心拍の音声を取得することとしたが、動物の感情を推定できる情報を取得するものであれば、その他のものであってもよい。例えば、脈拍計や、体温計などであってもよく、動物感情推定装置１が動物の感情を推定できる情報を提供できる機器であればよい。
（３）上記実施の形態においては、動物の感情を表現する手法として、出力部２００に感情を示す顔画像を表示することとしたが、これはその限りではない。
【００９５】
動物の感情をユーザに伝えられるのであれば、それ以外の手法を用いてもよく、例えば、文字や言葉を用いてもよいし、あるいは、ＬＥＤライトを用いて色で表現してもよい。
【００９６】
例えば、文字や言葉で感情を伝える場合には、眠気がある場合には、「ねむい〜」とか「ＺＺＺ…」というように表現してもよいし、何か興味がある（ストレスが低くて興奮度が高い）ものを見つけた場合には、「なになに？」とか「！！」というように表現してもよい。動物感情推定装置１は、この場合、上記実施の形態における顔画像表６００の代わりに、顔画像表６００の表示情報６０２部分に文字情報を記憶した文字情報表を記憶して用いることにより、当該実施例を実現できる。
【００９７】
また、感情を色で表す場合には、例えば、眠気がある場合には、ＬＥＤライトを緑色に点灯させ、興味があるものを見つけた場合には、ＬＥＤライトを桃色に点灯させることとしてもよい。動物感情推定装置１は、この場合、上記実施の形態における顔画像表６００の代わりに、顔画像表６００の表示情報６０２像部分に色情報を記憶した色情報表を記憶して用いることにより当該実施例を実現できる。
【００９８】
また、出力部２００は、これらを組み合わせて、その時々でランダムに表示する内容を、顔画像、色、文字の中から選択して表示することとしてもよい。
【００９９】
（４）上記実施の形態においては、制御部３３０は、定期的にｐＮＮＸ時間を算出することとしているが、これは、装着する動物の心拍の平均値を予め取得し、適切な値を制御部３３０のメモリに記憶しておくという手法をとってもよい。この場合、都度ｐＮＮＸを算出する処理を行わなくてすむので、制御部３３０の処理負担を軽減することができる。
【０１００】
（５）上記実施の形態においては、センサー１００に備えるマイクロフォン１０１が１つである場合を例示したが、マイクロフォンの個数は１つに限るものではない。動物感情推定装置１は、２つ以上のマイクロフォンを備えて、より効率よく心拍音を含む音声を取得できる構成を備えてもよい。
【０１０１】
その一例を図８に示す。図８（ａ）に示すように、コの字型のスポンジ１０３ａ内部の一端に、台部１０２ａとその底部にマイクロフォン１０１ａを設け、多端に台部１０２ｂとその底部にマイクロフォン１０１ｂを設ける。台部とマイクロフォンの構成は、上記実施の形態１に示したものと同様である。
そして、動物感情推定装置１の装着具に図８（ｂ）に示すように設ける。
【０１０２】
こうすることで、一方が動物の皮膚から何らかの事情により離間して集音できなかった場合であっても、他方で集音できる可能性を高めることができる。したがって、動物の感情推定を途切れることなく実行できる可能性を高めることができ、装置としての信頼性を高めることができる。
【０１０３】
なお、図８では、２つの場合を示しているが、３つでも良く、その場合にＴ字型にしてその端部に配することとしてもよい。また、あるいは、十字型にして、その端部や中央部に設けることとしてもよい。
【０１０４】
そして、マイクロフォンを複数用いる場合には、動物感情推定装置１は、音声信号として、各マイクロフォンから出力された音声信号の合成波を用いる構成を採用することとしてもよいし、音声信号を明瞭に取得できたマイクロフォンからの音声信号を選択して使用する構成であってもよい。
【０１０５】
なお、図８（ａ）においては、コの字型のスポンジ１０３ａを示しているが、これは、長方体であってもよい。
【０１０６】
（６）上記実施の形態におけるスポンジ１０３は、動物感情推定装置１を装着した動物の皮膚との密着状態を、動物が動いても維持できるものであれば、スポンジ以外の素材を用いてもよく、柔軟性があり、音声を伝播する特性を有する素材であれば、その他の素材を用いることとしてもよい。
【０１０７】
（７）上記実施の形態において、ｐＮＮＸ解析の秒数をＲ−Ｒインターバルの６．７％として算出する例を示したが、これは、６．７％以外の数値を用いてもよい。適宜、装着する動物に応じて、適切な値に設定して使用するとよい。
【０１０８】
（８）上記実施の形態においては、ＮＮ５０など時間領域解析に基づくＨＲＶ解析を行ったが、センシングした心拍信号に対して離散フーリエ変換（高速フーリエ変換）を施し、周波数領域での解析を行って、動物の感情を推定することとしてもよい。具体的には、心拍間のばらつきをフーリエ変換にかけて、高周波成分と低周波成分の分布に応じて、交感神経系の活性度合いを特定する。このように、動物感情推定装置１、１０は、周波数領域での解析により動物の感情を推定してもよい。
【０１０９】
（９）上記実施の形態２においては、特に記載していないが、動物感情推定装置１０は、推定した動物の感情に基づいて決定した発光色、発光輝度、発光タイミングを外部の発光装置に伝達して、発光させることとしてもよい。例えば、内部にＬＥＤを備えた剣を模した玩具の刀身を、発光させる構成をとってもよい。また、あるいは、動物を模した玩具の眼にＬＥＤを設けて、そのＬＥＤを発光させる構成をとってもよい。また、ペット・家畜用トイレにセンサーを設置して排泄時間を記録することで、排泄時の心拍を狙って記録することができ、尿結石、膀胱炎などの兆候を予測する一助とすることができる。具体的には、上記センサーが反応しているときの心拍信号の心拍解析を行って、動物が排泄をしているときに苦しんでいるかどうかを特定して、尿結石、膀胱炎等の病を患っている可能性を予測することができる。そのために動物感情推定装置１０は、ペット・家畜用トイレに設置されているセンサーからの信号を受信して、その時の心拍信号にペット・家畜用トイレにいるときの動物の心拍信号であることを特定できる識別情報を心拍信号に付与することとしてもよい。これにより、動物感情推定装置１０は、どの状態のときの心拍解析であるかを特定することができる。また、その心拍信号や心拍信号に基づく解析結果を外部に出力する際にもその識別情報を出力し、ユーザによる動物の心情解析に役立てることとしてもよい。
【０１１０】
（１０）上記実施の形態においては、動物感情推定装置１、１０が動物の感情を推定することとしているが、動物感情推定装置１、１０は、センシングした心拍信号を通信部３４０が外部装置（例えば、ユーザの携帯端末）に送信し、外部装置が動物の感情を推定して、出力部２００、１２００が出力する情報を決定し、決定した顔画像や発光色を動物感情推定装置１０に送信して、動物感情推定装置１、１０の出力部２００、１２００が受信した顔画像や発光色を出力する構成としてもよい。
【０１１１】
（１１）上記実施の形態２においては、出力部１２００の一態様として発光するＬＥＤテープ１１を用いる例を説明したが、発光手段がＬＥＤテープに限られないことは言うまでもない。例えば、個別に発光色制御が可能な複数のＬＥＤ、あるいは、その他のランプにより実現することとしてもよい。
【０１１２】
（１２）上記実施の形態２においては、特に記載していなかったが、発光に用いるＬＥＤの発光面を装置内部側、即ち、動物に装着した際に、動物側に向くように、動物感情推定装置１０に設けることとしてもよい。これは、ＬＥＤを直接外に向けて発光させると、場合によっては、発光が強すぎて、動物をカメラ等で撮影した場合に、画像が白飛びする可能性がある。しかし、ＬＥＤの発光面を装置内部方向に向けて配置する構成にすることによって、そのような可能性を抑制することができる。
【０１１３】
（１３）動物感情推定装置１、１０の各機能部は、集積回路（ＩＣ（Integrated Circuit）チップ、ＬＳＩ（Large Scale Integration））等に形成された論理回路（ハードウェア）や専用回路によって実現してもよいし、ＣＰＵ（Central Processing Unit）およびメモリを用いてソフトウェアによって実現してもよい。また、各機能部は、１または複数の集積回路により実現されてよく、複数の機能部の機能を１つの集積回路により実現されることとしてもよい。ＬＳＩは、集積度の違いにより、ＶＬＳＩ、スーパーＬＳＩ、ウルトラＬＳＩなどと呼称されることもある。すなわち、動物感情推定装置１は、例えば、図１６（ａ）に示すように、センサー１００と、センサー処理回路３１０と、電源回路３２０ａと、出力回路２００ａと、制御回路３３０ａと、通信回路３４０ａとから成るように構成してもよい。同様に動物感情推定装置１０は、例えば、図１６（ｂ）に示すように、センサー１００と、センサー処理回路３１０と、電源回路３２０ａと、出力回路１２００ａと、制御回路１２３０ａと、通信回路３４０ａと、記憶回路１２４０ａとから成るように構成してもよい。なお、各回路は上記実施の形態に示した同名の各機能部と同様の機能を有する。
【０１１４】
動物感情推定装置１、１０の各機能部をソフトウェアにより実現する場合、各機能を実現するソフトウェアである動物感情推定プログラムの命令を実行するＣＰＵ、上記動物感情推定プログラムおよび各種データがコンピュータ（またはＣＰＵ）で読み取り可能に記録されたＲＯＭ（Read Only Memory）または記憶装置（これらを「記録媒体」と称する）、上記動物感情推定プログラムを展開するＲＡＭ（Random Access Memory）などを備えている。そして、コンピュータ（またはＣＰＵ）が上記動物感情推定プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記動物感情推定プログラムは、当該動物感情推定プログラムを伝送可能な任意の伝送媒体（通信ネットワークや放送波等）を介して上記コンピュータに供給されてもよい。本発明は、上記動物感情推定プログラムが電子的な伝送によって具現化された、搬送波に埋め込まれたデータ信号の形態でも実現され得る。
【０１１５】
なお、上記動物感情推定プログラムは、例えば、C 言語、C ＋＋などのプログラミング言語、ActionScript、JavaScript（登録商標）などのスクリプト言語、Objective-C、Java（登録商標）などのオブジェクト指向プログラミング言語、HTML5などのマークアップ言語などを用いて実装できる。
【０１１６】
（１４）本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。例えば、上記実施の形態で示した発光制御は一例であり、心拍数や心拍解析に基づいて行う発光制御の対応関係（基本色の決定、色むらの決定、発光輝度の決定の対応関係）は適宜変更してもよく、更には、発光の明滅周期を変更したりしてもよい。
【０１１７】
（１５）上記実施の形態および各種変形例に示す構成を適宜組み合わせることとしてもよい。
【０１１８】
＜補足＞
ここで、本発明に係る集音器、動物感情推定装置及び動物感情推定方法について、その一実施態様と、当該態様により奏する効果を説明する。
【０１１９】
（ａ）本発明の一実施態様に係る集音器は、凹部を有する弾性部材と、凹部の底部に設けられた集音マイクと、弾性部材及び集音マイク全体を覆う衝撃吸収材とからなる。
【０１２０】
これにより、集音器は、衝撃吸収材があることにより、動物との密着状態を維持でき、凹部を有する弾性部材の底部に集音マイクを設けることで、凹部が面する方向の音声を効率よく集音できる。
【０１２１】
また、本発明の一実施態様に係る動物感情推定装置は、上記集音器と、集音器を動物に装着するための装着具と、集音器から集音された音をフィルタリングして心拍信号に変換する変換器と、心拍信号に基づいて、動物の感情を推定する推定部と、推定部により推定された感情を示す情報を出力する出力部とを備える。
【０１２２】
また、本発明の一実施態様に係る動物感情推定方法は、動物に装着して用いる動物感情推定装置による動物の感情を推定する動物感情推定方法であって、動物の心音を含む音声信号を取得する取得ステップと、取得された音声信号を心拍信号に変換する変換ステップと、心拍信号に基づいて動物の感情を推定する推定ステップと、推定された感情を示す情報を出力する出力ステップとを含む。
【０１２３】
これにより、動物感情推定装置は、動物の心拍信号に基づいて、動物の感情を推定し、推定した感情を示す情報を出力するので、ユーザは、一目に動物がどのような感情を抱いているのかを認識することができる。
【０１２４】
（ｂ）上記（ａ）に係る集音器において、凹部は、パラボラ状に形成されていることとしてもよい。
【０１２５】
凹部がパラボラ状に形成されることにより、凹部が向いている方向の音声を効率よく集音できる。
【０１２６】
（ｃ）上記（ａ）又は（ｂ）に係る集音器において、衝撃吸収材は、スポンジであることとしてもよい。
【０１２７】
これにより、集音マイクの周囲をスポンジで覆われることになるので、スポンジの柔軟性により集音器による集音の対象との密着状態を維持し易くなる。
【０１２８】
（ｄ）上記（ａ）に係る動物感情推定装置において、出力部は、動物の感情を点灯された色で示すＬＥＤライトであることとしてもよい。
これにより、動物の感情を色で表現できる。したがって、ユーザは、動物の気分をある程度認識でき、意志疎通がしやすくなる。例えば、怒っていれば赤に点灯したり、のんびりしたり眠いときは緑に点灯したりすることで、動物感情推定装置は、動物の感情をユーザが認識できるようにすることができる。
【０１２９】
（ｅ）上記（ａ）に係る動物感情推定装置において、出力部は、動物の感情を示す顔画像を表示する表示装置であることとしてもよい。
【０１３０】
これにより、動物感情推定装置は、ユーザに、一目で動物の感情を認識させることができる。
【０１３１】
（ｆ）上記（ａ）、（ｄ）、（ｅ）のいずれかに係る動物感情推定装置において、推定部は、心拍信号に基づいて、動物の関心度及びストレス度を推定し、ストレス度及び関心度に基づいて動物の感情を推定することとしてもよい。
【０１３２】
これにより、動物感情推定装置は、動物の心拍信号に基づいて、動物のストレス度や関心度を推定することができる。そして、推定したストレス度や、関心度に基づいて動物の感情を推定することができる。
【０１３３】
（ｇ）上記（ａ）、（ｄ）〜（ｆ）のいずれかに係る動物感情推定装置において、推定部は、心拍信号に基づいて、第１の拍動と第１の拍動に連続する第２の拍動との間の第１心拍時間Ｔ１と、第２の拍動と第２の拍動に連続する第３の拍動との間の第２心拍時間Ｔ２と、第３の拍動と第３の拍動に連続する第４の拍動との間の第３心拍時間Ｔ３を特定し、横軸及び縦軸に心拍時間をとった座標系に、点Ｐｎ（Ｔ２，Ｔ１）と点Ｐｎ＋１（Ｔ３，Ｔ２）をプロットした場合の、点Ｐｎと点Ｐｎ＋１との間の距離に基づいて、動物の関心度を推定することとしてもよい。
【０１３４】
これにより、動物感情推定装置は、心拍信号の拍動の間隔の推移に応じて、動物の関心度を推定することができる。
【０１３５】
（ｈ）上記（ａ）、（ｄ）〜（ｇ）のいずれかに係る動物感情推定装置において、推定部は、第４の拍動と、第４の拍動に連続する第５の拍動との間の第４心拍時間Ｔ４を特定し、点Ｐｎと点Ｐｎ＋１とを結んで得られる直線と、点Ｐｎ＋１と、点Ｐｎ＋２（Ｔ４，Ｔ３）とを結んで得られる直線とが成す角度に応じて、動物のストレス度を推定することとしてもよい。
【０１３６】
これにより、動物感情推定装置は、心拍信号の拍動の間隔の推移に応じて、動物のストレス度を推定することができる。したがって、動物感情推定装置は、そのストレス度の高低により、動物の快、不快を判断することができる。
【０１３７】
（ｉ）上記（ｄ）に係る動物感情推定装置において、推定部は、心拍信号に基づいて、単位時間当たりの心拍数を特定し、特定した心拍数に基づいてＬＥＤを発光させる色を決定することとしてもよい。
【０１３８】
これにより、動物感情推定装置は、動物の感情の推定に寄与する心拍数に基づいて、感情を表す色を発光することができるので、ユーザは、動物感情推定装置が発光する発光色から動物の感情を容易に推定することができる。
【０１３９】
（ｊ）上記（ｉ）に係る動物感情推定装置において、動物感情推定装置は、単位時間当たりの心拍数の範囲に対して、ＬＥＤを発光させる基本色を対応付けて記憶する記憶部を備え、推定部は、心拍信号に基づいて、特定した単位時間当たりの心拍数に対応する基本色を特定してＬＥＤを発光させる色を決定することとしてもよい。
【０１４０】
心拍数範囲に発光させる色を対応付けて記憶しておくことで、動物感情推定装置は、発光する基本色を決定することができる。
【０１４１】
（ｋ）上記（ｊ）に係る動物感情推定装置において、出力部は、ＬＥＤライトを複数備え、推定部は、複数のＬＥＤのうち、基本色で発光させる基本色ＬＥＤを特定し、基本色ＬＥＤ以外の複数のＬＥＤは、心拍信号に基づいて特定される心拍数の範囲に隣接する心拍数の範囲であって、心拍信号に基づいて特定される心拍数に近い方の範囲に対応付けられた色で発光させることとしてもよい。
【０１４２】
これにより、動物感情推定装置は、発光させる発光色によりバリエーションを持たせることができるので、多様な発光のさせ方で、多様な感情表現をすることができる。したがって、ユーザにとっても、見た目として楽しく興味を覚える発光のさせ方ができる。
【０１４３】
（ｌ）上記（ｋ）に係る動物感情推定装置において、推定部は、心拍信号に基づいて推定された動物の幸福度合を推定し、推定した幸福度合に基づいてＬＥＤを発光させる際の色むらを特定することとしてもよい。
【０１４４】
これにより、動物感情推定装置は、動物の幸福度合に応じて、多様に色を混ぜて発光させたり、混ぜる色数を抑えて発光させたりすることができるので、ユーザに、動物の幸福度合を一目で特定させることができる。
【０１４５】
（ｍ）上記（ｌ）に係る動物感情推定装置において、推定部は、心拍信号に基づいて推定された動物の集中度合いを推定し、推定した集中度合いに基づいてＬＥＤを明滅させる最高輝度と最低輝度とを特定することとしてもよい。
【０１４６】
これにより、動物感情推定装置は、動物の集中度合いを、発光の明滅間隔で表現することができるので、ユーザに、動物の物事に対する集中度合いを一目で認識させることができる。例えば、明滅の強度差が強ければ、何らかの事象に対して興味を強く持っている状態であることをユーザに認識させることができ、例えば、明滅の強度差が弱ければ、動物が穏やかな状態であることをユーザに認識させることができる。
【符号の説明】
【０１４７】
１  動物感情推定装置
１００  センサー（集音器）
１０１、１０１ａ、１０１ｂ  マイクロフォン
１０２、１０２ａ、１０２ｂ  台部（弾性部材）
１０３、１０３ａ  スポンジ（衝撃吸収材）
１１０  配線
２００  出力部
３１０  センサー処理回路
３２０  電源部
３３０  制御部
３４０  通信部
【図１】
2020022439.tif 000003
【図２】
2020022439.tif 000004
【図３】
2020022439.tif 000005
【図４】
2020022439.tif 000006
【図５】
2020022439.tif 000007
【図６】
2020022439.tif 000008
【図７】
2020022439.tif 000009
【図８】
2020022439.tif 000010
【図９】
2020022439.tif 000011
【図１０】
2020022439.tif 000012
【図１１】
2020022439.tif 000013
【図１２】
2020022439.tif 000014
【図１３】
2020022439.tif 000015
【図１４】
2020022439.tif 000016
【図１５】
2020022439.tif 000017
【図１６】
2020022439.tif 000018